(57)【要約】【課題】熱可塑性直線ファイバーを円筒形に束ねて、円筒形の片開放端部を融着することにより熱可塑性直線ファイバーを一体化した円筒型ファイバー束を容易に製造できる製造方法、及びこの製造方法に適用できる融着装置を提供することである。【解決手段】熱可塑性直線ファイバーを円筒形に束ねて、この円筒の片開放端部を融着することにより熱可塑性直線ファイバーを一体化した円筒型ファイバー束を製造する方法であって、円柱型部材又は円錐台型部材と、この円柱型部材又は円錐台型部材を挿入することによりこれと面接触できる開口孔を持つ保持部材との間に、円筒形に束ねられた熱可塑性直線ファイバーの片開放端部を挟んで、挟んだ箇所を融着する融着工程を含むことを特徴とする円筒型ファイバー束の製造方法を用いる。【選択図】図１
2013231880.tif 000002
【特許請求の範囲】
【請求項１】
熱可塑性直線ファイバーを円筒形に束ねて、この円筒の片開放端部を融着することにより熱可塑性直線ファイバーを一体化した円筒型ファイバー束を製造する方法であって、
円柱型部材又は円錐台型部材と、この円柱型部材又は円錐台型部材を挿入することによりこれと面接触できる開口孔を持つ保持部材との間に、円筒形に束ねられた熱可塑性直線ファイバーの片開放端部を挟んで、挟んだ箇所を融着する融着工程を含むことを特徴とする円筒型ファイバー束の製造方法。
【請求項２】
円柱型部材又は円錐台型部材が、超音波振動子に接続された共鳴体、加熱ヒーターを内蔵したヒーター発熱体、又はレーザー光照射部を内蔵したレーザー光加熱体である請求項１に記載の製造方法。
【請求項３】
請求項１又は２に記載の製造方法に適用するための装置であって、
円柱型部材又は円錐台型部材と、
この円柱型部材又は円錐台型部材を挿入することによりこれと面接触できる開放孔を持つ保持部材とを備えることを特徴とする融着装置。
【請求項４】
円柱型部材又は円錐台型部材が、超音波振動子に接続された共鳴体、加熱ヒーターを内蔵したヒーター発熱体、又はレーザー光照射部を内蔵したレーザー光加熱体である請求項３に記載の融着装置。
【請求項５】
請求項１又は２の製造方法で得た円筒型ファイバー束を吸引先端部に装着したことを特徴とする外科手術用吸引嘴管。
【発明の詳細な説明】
【技術分野】
【０００１】
本発明は、円筒型ファイバー束の製造方法及び融着装置に関する。
【背景技術】
【０００２】
従来、ファイバーを融着して一体化する方法として、糸束の端部を周囲へ放射状に押し開いてその中心部周囲を環状に溶着した後、糸束を分離するべく溶着部の内側を環状に切断することにより、環状の溶着部から多数本の糸材が外周側へ放射状に延出した第１の放射状羽根を形成する放射状羽根の一次形成工程と、形成された放射状羽根の溶着部内側に形成された貫通孔に糸束を刺し通して突出させる糸束挿入工程と、糸束の突出端部を周囲へ放射状に押し開いてその中心部周囲を環状に溶着した後、糸束を分離するべく溶着部の内側を環状に切断することにより、前記溶着部に一体化された環状の溶着部から多数本の糸材が外周側へ放射状に延出した第２の放射状羽根を形成する放射状羽根の再形成工程とを包含する放射状羽根の製造方法が知られている（特許文献１）。
【先行技術文献】
【特許文献】
【０００３】
【特許文献１】特開２００８−０００２３９号公報
【発明の概要】
【発明が解決しようとする課題】
【０００４】
しかし、従来の製造方法では、熱可塑性直線ファイバーを円筒形に束ねて、円筒形の片開放端部を融着することにより熱可塑性直線ファイバーを一体化した円筒型ファイバー束を製造することができない。
本発明の目的は、熱可塑性直線ファイバーを円筒形に束ねて、円筒形の片開放端部を融着することにより熱可塑性直線ファイバーを一体化した円筒型ファイバー束を容易に製造できる製造方法、及びこの製造方法に適用できる融着装置を提供することである。
【課題を解決するための手段】
【０００５】
本発明の円筒型ファイバー束の製造方法の特徴は、熱可塑性直線ファイバーを円筒形に束ねて、この円筒の片開放端部を融着することにより熱可塑性直線ファイバーを一体化した円筒型ファイバー束を製造する方法であって、
円柱型部材又は円錐台型部材と、この円柱型部材又は円錐台型部材を挿入することによりこれと面接触できる開口孔を持つ保持部材との間に、円筒形に束ねられた熱可塑性直線ファイバーの片開放端部を挟んで、挟んだ箇所を融着する融着工程を含む点を要旨とする。
【０００６】
本発明の融着装置の特徴は、上記の製造方法に適用するための装置であって、
円柱型部材又は円錐台型部材と、
この円柱型部材又は円錐台型部材を挿入することによりこれと面接触できる開放孔を持つ保持部材とを備える点を要旨とする。
【０００７】
本発明の外科手術用吸引嘴管の特徴は、上記の製造方法で得た円筒型ファイバー束を吸引先端部に装着した点を要旨とする。
【発明の効果】
【０００８】
本発明の円筒型ファイバー束の製造方法によると、熱可塑性直線ファイバーを円筒形に束ねて、円筒形の片開放端部を融着することにより、熱可塑性直線ファイバーを一体化した円筒型ファイバー束を容易に製造できる。
【０００９】
本発明の融着装置は、円柱型部材又は円錐台型部材と、この円柱型部材又は円錐台型部材を挿入することによりこれと面接触できる開放孔を持つ保持部材とを備えるので、上記の円筒型ファイバー束の製造用として好適な製造装置であり、円筒型ファイバー束を容易に製造できる。
【００１０】
本発明の外科手術用吸引嘴管は、上記の製造方法で得た円筒型ファイバー束を吸引先端部に装着しているので、生体を傷つけることなく、かつ血餅等により目詰まりすることなく、外科手術中に滲出する体液（血液等）や洗浄液等を容易に排出できる。
【図面の簡単な説明】
【００１１】
【図１】本発明の円筒型ファイバー束の製造方法において、円錐台型部材（１）と保持部材（２）との間に、円筒形に束ねられた熱可塑性直線ファイバー（３）の片開放端部を挟んで、挟んだ箇所を融着している状態を模式的に表す断面図である。
【図２】本発明の円筒型ファイバー束の製造方法によって、製造された円筒型ファイバー束を模式的に表す斜視図である。
【図３】本発明の外科手術用吸引嘴管の一形態を表した正面図である｛実線部分が円筒型ファイバー束を示す。｝。
【図４】本発明の外科手術用吸引嘴管の一形態を表した正面図（図３）のうち、Ａ−Ａ’部分を拡大して表した部分拡大図である｛実線部分が円筒型ファイバー束を示す。｝。
【図５】本発明の外科手術用吸引嘴管の一形態を表した正面図（図３）のうち、Ｂ−Ｂ’線の断面を表した断面図である｛実線部分が円筒型ファイバー束を示す。｝。
【図６】本発明の外科手術用吸引嘴管の一形態について表した断面図（図５）のうち、Ｅ−Ｅ’部分を拡大して表した部分拡大図である｛実線部分が円筒型ファイバー束を示す。｝。
【図７】本発明の外科手術用吸引嘴管の一形態を表した右側面図である｛実線部分が円筒型ファイバー束を示す。｝。
【図８】本発明の外科手術用吸引嘴管の一形態を表した右側面図（図７）のうち、Ｃ−Ｃ’、Ｄ−Ｄ’部分拡大図である｛実線部分が円筒型ファイバー束を示す。｝。
【発明を実施するための形態】
【００１２】
熱可塑性直線ファイバーは、熱可塑性を有し、直線状のファイバーであって、円筒形に束ねて、円筒形の片開放端部で互いに融着できれば、その材質、大きさ（長さ、太さ等）に制限はないが、均一の太さをもつことが好ましく、また、可撓性を有することが好ましい。
【００１３】
熱可塑性直線ファイバーとしては、熱可塑性樹脂（たとえば、ポリアミド、ポリイミド、ポリエステル、ポリエチレン、ポリプロピレン、ポリ塩化ビニル、ポリスチレン、ポリ塩化ビニリデン、ポリカーボネート、ポリウレタン及びポリフルオロエチレン）で構成されていることが好ましく、用途によって、材質は適宜決定できる。
【００１４】
熱可塑性直線ファイバーの太さはその用途によって適宜決定できるが、融着の容易性等の観点から、その直径（ｍｍ）が、０．０５〜０．５程度が好ましく、さらに好ましくは０．０７〜０．３、特に好ましくは０．０９〜０．２である。
【００１５】
熱可塑性直線ファイバーの長さに制限はなく、融着前に、適当な長さに切断しておいてもよいし、融着後に切断してもよい。円筒形ファイバー束の長さはその用途により、適宜決定でき、円筒形ファイバー束の長さに合わせて適宜、調整できる。
【００１６】
熱可塑性直線ファイバーは、円筒形に束ねられれば、その本数、円筒の大きさに制限はなく、その用途によって適宜決定できる。また、一重の円筒形でもよいし、二重、三重又はそれ以上に重ねて円筒形にしてもよい（三重の円筒形について図８等を参照。）。
【００１７】
本発明の円筒形ファイバー束の製造方法に適用できる融着装置として、上記の通り、円柱型部材又は円錐台型部材と、この円柱型部材又は円錐台型部材を挿入することによりこれと面接触できる開放孔を持つ保持部材とを備える装置が含まれる。
【００１８】
円柱型部材又は円錐台型部材は、これと保持部材との間に、円筒形に束ねられた熱可塑性直線ファイバーの片開放端部を挟んで、挟んだ箇所を融着するためのものであり、保持部材の開口孔に挿入することにより、この開口孔の内周面と面接触できるような形状を有する。
【００１９】
保持部材には、円柱型部材又は円錐台型部材を挿入することにより、この外周面と面接触できる開口孔を持ち、保持部材と、円柱型部材又は円錐台型部材との間に、円筒形に束ねられた熱可塑性直線ファイバーの片開放端部を挟んで、挟んだ箇所を融着するためのものである。
【００２０】
円柱型部材又は円錐台型部材を保持部材の開口孔に挿入することにより、互いに面接触でき、この面接触する箇所に、円筒形に束ねられた熱可塑性直線ファイバーの片開放端部を挟んで、これを融着するできるように、円柱型部材又は円錐台型部材に外周面が設けられ、保持部材の開口孔に内周面が設けられている。すなわち、この外周面と内周面とは面接触でき、この面接触箇所に、円筒形に束ねられた熱可塑性直線ファイバーの片開放端部を挟んで、これを融着するものである。
【００２１】
円柱型部材若しくは円錐台型部材、及び／又は保持部材には、円筒形に束ねられた熱可塑性直線ファイバーの片開放端部を融着させるための加熱手段を内蔵していることが好ましく、さらに好ましくは円柱型部材又は円錐台型部材に加熱手段を内蔵していること、特に好ましくは円柱型部材又は円錐台型部材が超音波振動子に接続された共鳴体、加熱ヒーターを内蔵したヒーター発熱体、又はレーザー光照射部を内蔵したレーザー光加熱体であることである。
なお、熱可塑性直線ファイバーの片開放端部を融着する方法としては、これを挟んで加圧すると共に、周囲温度を上昇させることによっても達成できる。
【００２２】
円柱型部材又は円錐台型部材が超音波振動子に接続された共鳴体の場合、超音波振動子から共鳴体（ホーン）に伝えられた超音波を円筒形に束ねられた熱可塑性直線ファイバーの片開放端部に印加することによって、熱可塑性直線ファイバーのそれぞれが自己発熱し、互いに融着する。
【００２３】
円柱型部材又は円錐台型部材が加熱ヒーターを内蔵したヒーター発熱体である場合、加熱ヒーターの形式は電気によるもの（シーズヒーター、電磁ヒーター等）、熱媒体（熱媒、水蒸気等）によるもの等のいずれでもよい。そして、この場合、円柱型部材又は円錐台型部材の外周面から、円筒形に束ねられた熱可塑性直線ファイバーの片開放端部に熱伝導した熱により、熱可塑性直線ファイバーのそれぞれが互いに融着する。
【００２４】
円柱型部材又は円錐台型部材がレーザー光照射部を内蔵したレーザー光加熱体である場合、円柱型部材又は円錐台型部材の外周面にはレーザー光を透過できる照射部を内蔵していることが好ましい。そして、この場合、円筒形に束ねられた熱可塑性直線ファイバーの片開放端部にレーザー光が照射され、照射された箇所が発熱することにより、熱可塑性直線ファイバーのそれぞれが互いに融着する。
【００２５】
本発明の円筒型ファイバー束の製造方法には、円柱型部材又は円錐台型部材と、この円柱型部材又は円錐台型部材を挿入することによりこれと面接触できる開口孔を持つ保持部材との間に、円筒形に束ねられた熱可塑性直線ファイバーの片開放端部を挟んで、挟んだ箇所を融着する融着工程の他に、この融着工程の前に、熱可塑性直線ファーバーを適当な長さに切断する前切断工程を設けてもよいし、融着工程の後に、円筒の片開放端部を融着した熱可塑性直線ファイバーを適当な長さに切断する後切断工程を設けてもよい。
【００２６】
後切断工程において、円筒の片開放端部を融着した熱可塑性直線ファイバーの融着されていない未融着端部を切断してもよいし、融着部の中心と、融着部と融着部との中間とをそれぞれ切断してもよい。
【００２７】
本発明の円筒型ファイバー束の製造方法において、円錐台型部材（１）と保持部材（２）とで、円筒形に束ねられた熱可塑性直線ファイバー（３）の片開放端部を挟んで、挟んだ箇所を融着している状態を概念的に表した断面図を図１に示す。
【００２８】
融着後、上記の通り、円筒の片開放端部を融着した熱可塑性直線ファイバーを適当な長さに切断する後切断工程を設けてもよく、また、融着前に、熱可塑性直線ファイバーを適当な長さに切断してから融着してもよく、図１では、融着後に、融着されていない未融着端部を切断した例、又は融着前に熱可塑性直線ファイバーを切断してから、その片開放部を融着した例を表している。
【００２９】
融着工程を経て得られる円筒型ファイバー束は、図２に示すように、円筒の片開放部（左側の濃い部分）で、各熱可塑性直線ファイバーが融着されて一体化しており、開放他端部においては、各熱可塑性直線ファイバー同士が任意に接触したり、離れたりすることができ、また、それぞれ自在に曲げることができる。
【００３０】
本発明の製造方法で得られる円筒型ファイバー束は、各種ブラシ等に適用できるが、外科手術用吸引嘴管の吸引先端部に装着して使用することが好適である。
【００３１】
外科手術用吸引嘴管の吸引先端部に装着した一例として、図３〜８に、外科手術用吸引嘴管の一形態を示す｛実線部分が円筒型ファイバー束を示している。｝。
【００３２】
外科手術用吸引嘴管は、円筒型ファイバー束の融着した片開放部を吸引先端部に装着して構成される。そして、外科手術用吸引嘴管の円筒型ファイバー束の融着していない開放他端部を生体に近接又は接触させて、体液や洗浄液等を吸引して排出できるものである。
【符号の説明】
【００３３】
１  円錐台型部材
２  保持部材
３  円筒型に束ねられた熱可塑性直線ファイバー
【図１】
2013231880.tif 000003
【図２】
2013231880.tif 000004
【図３】
2013231880.tif 000005
【図４】
2013231880.tif 000006
【図５】
2013231880.tif 000007
【図６】
2013231880.tif 000008
【図７】
2013231880.tif 000009
【図８】
2013231880.tif 000010